【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
光ディスクにレーザ光を照射する光学装置と、
前記光ディスクを回転させる回転駆動手段と、
前記光学装置と前記回転駆動手段とを保持するピックアップフレームと、
前記ピックアップフレームを前記光ディスクの装着面側から覆うピックアップカバーと、
前記ピックアップフレームと前記ピックアップカバーとを固定する固定部材とを備え、
前記固定部材は前記ピックアップフレームに圧着する圧着部と前記ピックアップフレームの内部に挿入する挿入部とを有し、
前記固定部材の圧着部を前記ピックアップフレームに接触させることにより前記ピックアップカバーを前記ピックアップフレームに固定することを特徴とする光ディスク装置。
【請求項２】
前記ピックアップフレームは突起部を有し、前記突起部を前記固定部材の圧着部に接触させることにより前記ピックアップカバーを前記ピックアップフレームに固定することを特徴とする請求項１記載の光ディスク装置。
【請求項３】
前記ピックアップカバーは前記ピックアップフレームの突起部を通す略小判形状の貫通孔を有し、
前記ピックアップフレームの突起部は略円筒形状であり、
前記貫通孔の孔中心と前記突起部の圧着面の中心が略同一であることを特徴とする請求項２記載の光ディスク装置。
【請求項４】
前記固定部材の圧着部は、前記ピックアップフレームの突起部に対向する略円形状の面を有し、
前記略円形状の面の中心は、前記ピックアップカバーの貫通孔の中心と略同一であることを特徴とする請求項３記載の光ディスク装置。
【請求項５】
前記固定部材の圧着部は２段構造であり、前記固定部材の１つの圧着面を前記ピックアップフレームに接触させることにより前記ピックアップカバーを前記ピックアップフレームに固定することを特徴とする請求項１記載の光ディスク装置。
【請求項６】
前記固定部材の圧着部と前記ピックアップカバーとの間に弾性体を挟み込むように配置することを特徴とする請求項５記載の光ディスク装置。
【請求項７】
前記ピックアップフレームと前記ピックアップカバーとの間に弾性体を挟み込むように配置することを特徴とする請求項５記載の光ディスク装置。
【手続補正２】
【補正対象書類名】明細書
【補正対象項目名】００１７
【補正方法】変更
【補正の内容】
【００１７】
本発明は上記構成により、固定部材の圧着部をピックアップフレームに接触させることによりピックアップカバーをピックアップフレームに固定することによって、螺旋などの固定部材をピックアップカバーに対して強固に接触させないので、固定部材の固定力に起因するピックアップカバーの変形を防ぐことができる。また併せて、ピックアップカバーとピックアップフレームの材料が異なり熱膨張係数の相違による熱変形を防ぐことができる。
【手続補正３】
【補正対象書類名】明細書
【補正対象項目名】００１８
【補正方法】変更
【補正の内容】
【００１８】
その結果、構成材料を薄くする、もしくは構成材料に軽量材料を用いることができるので、軽量化が可能な光ディスク装置を実現できる。
【手続補正４】
【補正対象書類名】明細書
【補正対象項目名】００１９
【補正方法】変更
【補正の内容】
【００１９】
請求項１記載の発明は、光ディスクにレーザ光を照射する光学装置と、光ディスクを回転させる回転駆動手段と、光学装置と回転駆動手段とを保持するピックアップフレームと、ピックアップフレームを光ディスクの装着面側から覆うピックアップカバーと、ピックアップフレームとピックアップカバーとを固定する固定部材とを備え、固定部材がピックアップフレームに圧着する圧着部とピックアップフレームの内部に挿入する挿入部とを有し、固定部材の圧着部をピックアップフレームに接触させることにより、ピックアップカバーをピックアップフレームに固定することを特徴とする。これにより、螺旋などの固定部材をピックアップカバーに対して強固に接触させないので、固定部材の固定力に起因するピックアップカバーの変形を防ぐことができる。また併せて、ピックアップカバーとピックアップフレームの材料が異なり熱膨張係数の相違による熱変形を防ぐことができる。その結果、構成材料を薄くする、もしくは構成材料に軽量材料を用いることができるので、軽量化が可能な光ディスク装置を実現できる。
【手続補正５】
【補正対象書類名】明細書
【補正対象項目名】００２０
【補正方法】変更
【補正の内容】
【００２０】
請求項２記載の発明は、ピックアップフレームが突起部を有し、その突起部を固定部材の圧着部に接触させることによりピックアップカバーをピックアップフレームに固定することを特徴とする。これにより、螺旋などの固定部材をピックアップカバーに対して強固に接触させないので、固定部材の固定力に起因するピックアップカバーの変形を防ぐことができる。また併せて、ピックアップカバーとピックアップフレームの材料が異なり熱膨張係数の相違による熱変形を防ぐことができる。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
請求項３記載の発明は、ピックアップカバーがピックアップフレームの突起部を通す略小判形状の貫通孔を有し、ピックアップフレームの突起部は略円筒形状であり、ピックアップカバーの貫通孔の孔中心とピックアップフレームに設けられた突起部の圧着面の中心が略同一であることを特徴とする。これにより、ピックアップフレームに対するピックアップカバーの挿入性が容易になるので、ピックアップフレームとピックアップカバーと固定部材の組込み作業を容易に行うことができる。
【手続補正１０】
【補正対象書類名】明細書
【補正対象項目名】００２５
【補正方法】変更
【補正の内容】
【００２５】
請求項４記載の発明は、固定部材の圧着部が、ピックアップフレームの突起部に対向する略円形状の面を有し、圧着部の略円形状の面の中心が、ピックアップカバーの貫通孔の中心と略同一であることを特徴とする。これにより、ピックアップフレームに対する固定部材の挿入性が容易になるため、ピックアップフレームと固定部材の組込み作業を容易に行うことができる。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
請求項５記載の発明は、固定部材の圧着部は２段構造であり、固定部材の１つの圧着面をピックアップフレームに接触させることによりピックアップカバーをピックアップフレームに固定することを特徴とする。これにより、螺旋などの固定部材をピックアップカバーに対して強固に接触させないので、固定部材の固定力に起因するピックアップカバーの変形を防ぐことができる。また併せて、ピックアップカバーとピックアップフレームの材料が異なり熱膨張係数の相違による熱変形を防ぐことができる。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
請求項６記載の発明は、固定部材の圧着部とピックアップカバーとの間に弾性体を挟み込むように配置することを特徴とする。これにより、ピックアップフレームとピックアップカバーの固定が行われる際に発生する微小なガタツキを防ぐことができる。
【手続補正１５】
【補正対象書類名】明細書
【補正対象項目名】００３０
【補正方法】変更
【補正の内容】
【００３０】
請求項７記載の発明は、ピックアップフレームとピックアップカバーとの間に弾性体を挟み込むように配置することを特徴とする。これにより、ピックアップフレームとピックアップカバーの固定が行われる際に発生する微小なガタツキを防ぐことができる。
【手続補正１６】
【補正対象書類名】明細書
【補正対象項目名】００３１
【補正方法】削除
【補正の内容】